(57)【要約】【課題】従来よりもラベルの上面の湾曲状態を抑制して正面からラベルを視認し易くすることができる首かけラベルを提供する。【解決手段】首かけラベル１は、包装用びん２の首部２ａのフランジ２ｂを挿通可能な挿通孔３を有し、且つ前面ラベル４と、前面ラベル４に対して折目線５を介して連接された後面ラベル６と、を備える。折目線５は挿通孔３を横切って設けられ、挿通孔３の開口縁から折目線５の延長線上に沿って内側へ突出する折目側突片７が設けられ、折目側突片７には、折目線５の延長線上に沿って切込み部８が設けられている。【選択図】図１
0003232855.tif 000002
【実用新案登録請求の範囲】
【請求項１】
首部にフランジを有する包装用びんの前記フランジを挿通可能な挿通孔を有する首かけラベルであって、
前面ラベルと、
前記前面ラベルに対して折目線を介して連接された後面ラベルと、
を備え、
前記折目線は前記挿通孔を横切って設けられ、
前記挿通孔の開口縁から前記折目線の延長線上に沿って前記フランジの外縁よりも内側へ突出する折目側突片が設けられ、
前記折目側突片には、前記折目線の延長線上に沿って切込み部が設けられていることを特徴とする首かけラベル。
【請求項２】
請求項１に記載の首かけラベルであって、
前記折目側突片は、前記包装用びんの首部に弾性的に当接するように前記折目側突片の先端が前記包装用びんの首部の外径よりも径方向内側に位置するように構成されていることを特徴とする首かけラベル。
【請求項３】
請求項１又は請求項２に記載の首かけラベルであって、
前記折目側突片は、対向させて一対設けられていることを特徴とする首かけラベル。
【請求項４】
請求項１から請求項３の何れか１項に記載の首かけラベルであって、
前記挿通孔の開口縁から前記折目線の延長線に直交する直交線上に沿って内側へ突出する前後側突片が設けられ、
前記前後側突片には、前後側切込み部が設けられ、
前記前後側突片は、前記包装用びんの首部に弾性的に当接するように前記前後側突片の先端が前記包装用びんの首部の外径よりも径方向内側に位置するように構成されていることを特徴とする首かけラベル。
【考案の詳細な説明】
【技術分野】
【０００１】
本考案は、包装用びんの首部に掛けられる首かけラベルに関する。
【背景技術】
【０００２】
従来、紙や樹脂などのシート材に穴を設け、穴の縁の対向する二箇所に突片を突設し、両突片の先端の間隔を包装用びんの首部の外径よりも狭くしてボトルの首かけラベルを形成した首かけラベルが知られている（例えば、特許文献１参照）。特許文献１のものでは、包装用びんに装着したとき突片が上方に屈曲し、首かけラベルの前後が垂れ下がるので、やや下方からでも首かけラベルの上面を視認することができる。
【先行技術文献】
【特許文献】
【０００３】
【特許文献１】特許第３２４３４５８号公報
【考案の概要】
【考案が解決しようとする課題】
【０００４】
特許文献１のものでは、やや下方からでも首かけラベルの上面を視認できるものの、首かけラベルが前後に緩やかに湾曲した状態であり、特許文献１の首かけラベルを正面からでも上方が湾曲した状態で視認されることとなる。したがって、首かけラベルがかけられた包装用びんが冷蔵ボックスなどに陳列されている場合、首かけラベルの上面が湾曲しているため、商品情報内容などの印刷部分を正面側から視認し難いという問題がある。
【０００５】
本考案は、以上の点に鑑み、従来よりも首かけラベルの上面の湾曲状態を抑制して正面から視認し易くすることができる首かけラベルを提供することを目的とする。
【課題を解決するための手段】
【０００６】
［１］上記目的を達成するため、本考案の首かけラベル（例えば、実施形態の首かけラベル１。以下同一。）は、
首部（例えば、実施形態の首部２ａ。以下同一。）にフランジ（例えば、実施形態のフランジ２ｂ。以下同一。）を有する包装用びん（例えば、実施形態の包装用びん２。以下同一。）の前記フランジを挿通可能な挿通孔（例えば、実施形態の挿通孔３。以下同一。）を有する首かけラベルであって、
前面ラベル（例えば、実施形態の前面ラベル４。以下同一。）と、
前記前面ラベルに対して折目線（例えば、実施形態の折目線５。以下同一。）を介して連接された後面ラベル（例えば、実施形態の後面ラベル６。以下同一。）と、
を備え、
前記折目線は前記挿通孔を横切って設けられ、
前記挿通孔の開口縁から前記折目線の延長線上に沿って前記フランジの外縁よりも内側へ突出する折目側突片（例えば、実施形態の折目側突片７。以下同一。）が設けられ、
前記折目側突片には、前記折目線の延長線上に沿って切込み部（例えば、実施形態の切込み部８。以下同一。）が設けられていることを特徴とする。
【０００７】
本考案によれば、首かけラベルを折目線で二つ折りにすることができ、従来よりも首かけラベルの上部の湾曲状態を抑制して屈曲状態とすることができ、正面から視認し易くすることができる。また、首かけラベルに、挿通孔の開口縁から折目線の延長線上に沿ってフランジの外縁よりも内側へ突出する折目側突片が設けられることにより、首かけラベルが包装用びんから脱落しそうになっても、折目側突片がフランジに引っ掛かるため、包装用びんの首部から首かけラベルが脱落することを防止又は抑制する抜止機能を発揮させることができる。
【０００８】
もっとも、首かけラベルを折目線に沿って二つ折りにして折癖をつけてから包装用びんの首部にかけることを想定しているところ、折目側突片は山折りされるとその稜線により強度が高くなり、フランジを通過しにくくなるという問題がある。これに対し、本考案によれば、折目側突片に折目線の延長線上に沿って切込み部が設けられているため、包装用びんの首部にかけようとするときに折目側突片が切込み部を境に互いに離れる方向に変形できるため、フランジを容易に通過させることができる。
【０００９】
［２］また、本考案においては、前記折目側突片は、前記包装用びんの首部に弾性的に当接するように前記折目側突片の先端が前記包装用びんの首部の外径よりも径方向内側に位置するように構成されていてもよい。
【００１０】
かかる構成によれば、折目側突片が包装用びんの首部によって、切欠き部が押し広げられるようにして弾性的に湾曲させられると、折目側突片の復元力によって、折目線による首かけラベルの二つ折り状態が維持される方向に力が働くことになる。このため、首かけラベルの二つ折り状態が維持され易く、正面から首かけラベルを視認し易くすることができる。
【００１１】
［３］また、本考案においては、前記折目側突片を、対向させて一対設けてもよい。
【００１２】
かかる構成によれば、折目側突片による抜止機能を更にしっかりと機能させることができる。
【００１３】
［４］また、本考案においては、
前記挿通孔の開口縁から前記折目線の延長線に直交する直交線上に沿って内側へ突出する前後側突片が設けられ、
前記前後側突片には、前後側切込み部が設けられ、
前記前後側突片は、前記包装用びんの首部に弾性的に当接するように前記前後側突片の先端が前記包装用びんの首部の外径よりも径方向内側に位置するように構成されていてもよい。
【００１４】
かかる構成によれば、包装用びんの首部に弾性的に当接する前後側突片が、挿通孔の開口縁から折目線の延長線に直交する直交線上に沿って内側へ突出して設けられているため、包装用びんの首部に弾性的に当接した前後側突片により、前面ラベル及び／又は後面ラベルが下方に向かって傾斜した状態が維持される。このため、首かけラベルの二つ折り状態が維持され易く、正面から首かけラベルを更に視認し易くすることができる。
【図面の簡単な説明】
【００１５】
【図１】考案の実施形態の首かけラベルを示す説明図。
【図２】本実施形態の首かけラベルを展開した状態で示す説明図。
【図３】本実施形態の首かけラベルを包装用びんに取り付けるときの状態を示す説明図。
【図４】本実施形態の首かけラベルを側面から示す説明図。
【考案を実施するための形態】
【００１６】
図を参照して、考案の実施形態の首かけラベルを説明する。図１を参照して、本実施形態の首かけラベル１は、紙や樹脂フィルムなどのシート材で構成され、包装用びん２の首部２ａにかけて用いられる。図２を参照して、首かけラベル１は、包装用びん２の首部２ａを挿通可能な挿通孔３を備える。また、首かけラベル１は、前面ラベル４と、前面ラベル４に対して折目線５を介して連接された後面ラベル６と、を備える。折目線５は挿通孔３を横切って設けられている。前面ラベル４と後面ラベル６とには商品名等の商品情報が印刷されている。印刷方法としては、オフセット印刷や、グラビア印刷、凸版印刷などを用いることができる。
【００１７】
首かけラベル１には、挿通孔３の開口縁から折目線５の延長線上に沿って互いに対向して内側へ突出する一対の折目側突片７が設けられている。ここで、包装用びん２の首部２ａには、径方向外側へ張り出すフランジ２ｂが設けられている。そして、折目側突片７は、その先端がフランジ２ｂの外縁よりも径方向内側に位置するように構成されることにより、抜け止めとして機能させている。折目側突片７には、折目線５の延長線上に沿って先端まで切り込まれた切込み部８が設けられている。
【００１８】
折目側突片７は、包装用びん２の首部２ａに弾性的に当接するように折目側突片７の先端が包装用びん２の首部２ａの外径よりも径方向内側に位置するように構成されていてもよい。
【００１９】
首かけラベル１には、挿通孔３の開口縁から折目線５の延長線に直交する直交線９上に沿って互いに対向して内側へ突出する前後一対の前後側突片１０が設けられている。前後側突片１０には、前後側切込み部１１が設けられている。前後側突片１０は、前後側突片１０の先端が包装用びん２の首部２ａの外径よりも径方向内側に位置するように構成されている。これにより、図３に示すように、包装用びん２に首かけラベル１をかけるときに、前後側突片１０が、上方へ湾曲し、包装用びん２の首部２ａに弾性的に当接する。
【００２０】
本実施形態の首かけラベル１によれば、首かけラベル１を折目線５で二つ折りにすることができ、従来よりも首かけラベル１の上部の湾曲状態を抑制して屈曲状態にさせることができ、正面から視認し易くすることができる。
【００２１】
また、首かけラベル１に、挿通孔３の開口縁から折目線５の延長線上に沿ってフランジ２ｂの外縁よりも内側へ突出する折目側突片７が設けることにより、折目側突片７がフランジ２ｂに引っ掛かり、包装用びん２の首部２ａから首かけラベル１が脱落することを防止又は抑制する抜止機能を発揮することができる。
【００２２】
また、首かけラベル１の折目側突片に折目線の延長線上に沿って切込み部８が設けられているため、二つ折りにした折目側突片が包装用びん２に首かけラベル１をかけようとするときに、折目側突片７が切込み部を境に互いに離れる方向に変形できるためフランジ２ｂを容易に通過させることができる。
【００２３】
また、図４に示すように、首かけラベル１が折目線５に沿って山折りに屈曲された状態では、包装用びん２の首部２ａによって切込み部８が押し広げられるようにして折目側突片７が弾性的に湾曲させられると、折目側突片７の自己復元力によって、折目線５による首かけラベル１の二つ折り状態が維持される方向に力が働くことになる。このため、首かけラベル１の二つ折り状態が維持され易く、正面から首かけラベル１を視認し易くすることができる。
【００２４】
また、包装用びん２の首部２ａに弾性的に当接する前後側突片１０が、挿通孔３の開口縁から折目線５の延長線に直交する直交線９上に沿って内側へ突出して設けられている。このため、図３に示すように、包装用びん２の首部２ａに首かけラベル１をかけるときに、前後側突片１０の先端が首部２ａの外径よりも径方向内側に位置しているから、前後側突片１０が上方へ屈曲しながら装着される。そして、包装用びん２の首部２ａに弾性的に当接した前後側突片１０により、前面ラベル４及び／又は後面ラベル６が下方に向かって傾斜した状態が維持される。これにより、首かけラベル１の二つ折り状態が維持され易く、正面から首かけラベル１を更に視認し易くすることができる。
【００２５】
なお、本実施形態においては、一対の折目側突片７を備えた首かけラベル１を説明したが、本考案の折目側突片は一対のものに限らない。例えば、折目側突片は１つであり、そのほかに補助の突片を２つ設けて、３つの突片が等間隔になるように構成してもよい。
【００２６】
また、本実施形態の首かけラベル１においては、略矩形状のものを説明したが、考案の首かけラベルの形状はこれに限らず、例えば、楕円形状、円形状、花形状、など、様々な形状とすることができる。
【符号の説明】
【００２７】
１  首かけラベル
２  包装用びん
２ａ  首部
２ｂ  フランジ
３  挿通孔
４  前面ラベル
５  折目線
６  後面ラベル
７  折目側突片
８  切込み部
９  直交線
１０  前後側突片
１１  前後側切込み部
【図１】
0003232855.tif 000003
【図２】
0003232855.tif 000004
【図３】
0003232855.tif 000005
【図４】
0003232855.tif 000006